【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
測定データを捕捉し、該測定データに注釈をつけるためのコンピュータ実現方法であって、該方法は、
モバイル計算装置によって、１つ以上の測定装置を接続することと、
モバイル計算装置によって、該１つ以上の測定装置から測定データを受信することと、
モバイル計算装置によって、前記受信した測定データを蓄積することと、
該蓄積された測定データを類似のグループ識別情報を有する他のデータに関連づけるグループ識別情報を含むメタデータによって、前記蓄積された測定データに注釈を付けることを含む方法。
【請求項２】
グループ識別情報が前記蓄積された測定データと該測定データが生成された機器の機器識別子とを関連づけし、更に、該測定データが蓄積される前に該機器識別子が決定される請求項１の方法。
【請求項３】
前記モバイル計算装置によって提供されたリストのうちからユーザの機器選択を受信することにより、又は、モバイル計算装置のセンサを使用して該機器から該機器識別子を捕捉することにより、前記機器識別子が決定される請求項２の方法。
【請求項４】
モバイル計算装置の位置を決定することと、
モバイル計算装置によって、ユーザの機器選択をするために該モバイル計算装置の位置近くの前記機器のリストを提供すること
を更に含む請求項３の方法。
【請求項５】
測定データが蓄積された後で、グループ識別情報に関連づけられる１組の蓄積された測定データを自動的に選択することを更に含む請求項１の方法。
【請求項６】
１組の蓄積された測定データを自動的に選択することが、互いに所定時間内に捕捉された蓄積された測定データを選択することを含む請求項５の方法。
【請求項７】
１組の蓄積された測定データを自動的に選択することが、位置決めシステムにより決定した互いの所定距離内で捕捉された蓄積された測定データを選択することを含む請求項５の方法。
【請求項８】
前記グループ識別情報が、異なる測定装置により得た単一の被試験装置（ＤＵＴ）の測定に関連づけられている請求項１の方法。
【請求項９】
前記グループ識別情報が、同一の測定装置により得た単一の被試験装置（ＤＵＴ）の複数の測定に関連づけられている請求項１の方法。
【請求項１０】
測定装置によるデータの感知とほぼ同時に、前記モバイル計算装置によって、前記測定データが、受信される請求項１の方法。
【請求項１１】
前記モバイル計算装置によって、１つ以上の測定装置から受信された瞬時の測定データを更に示すことを含む請求項１の方法。
【請求項１２】
測定データを捕捉し、該測定データに注釈をつけるためのシステムであって、該システムは、モバイル計算装置を備え、
該モバイル計算装置が、
１つ以上の測定装置を接続し、
該１つ以上の測定装置から測定データを受信し、
該受信した測定データを蓄積し、更に、
該蓄積された測定データを類似のグループ識別情報を有する他のデータに関連づけるグループ識別情報を含むメタデータによって、前記蓄積された測定データに注釈を付けるように構成されたシステム。
【請求項１３】
グループ識別情報が前記蓄積された測定データと該測定データが生成された機器の機器識別子とを関連づけし、更に、前記モバイル計算装置が、該測定データが蓄積される前に該機器識別子を決定するよう構成された請求項１２のシステム。
【請求項１４】
前記モバイル計算装置が、
機器のリストを提供し、及び、提供された該機器のリストからのユーザの機器選択を受信することにより、又は、
モバイル計算装置のセンサを使用して該機器から該機器識別子を捕捉することにより、該機器識別子を決定するよう構成された請求項１３のシステム。
【請求項１５】
機器のリストを提供することが、
前記モバイル計算装置の位置を決定することと、
該モバイル計算装置の位置近くの機器のリストを提供すること
を含む請求項１４のシステム。
【請求項１６】
前記モバイル計算装置が
前記測定データが蓄積された後で、グループ識別情報に関連づけられる１組の蓄積された測定データを自動的に選択するよう更に構成された請求項1２のシステム。
【請求項１７】
１組の蓄積された測定データを自動的に選択することが、互いに所定時間内に捕捉された蓄積された測定データを選択することを含む請求項１６のシステム。
【請求項１８】
１組の蓄積された測定データを自動的に選択することが、位置決めシステムにより決定した互いの所定距離内で捕捉された蓄積された測定データを選択することを含む請求項１６のシステム。
【請求項１９】
前記グループ識別情報が、異なる測定装置により得た単一の被試験装置（ＤＵＴ）の測定に関連づけられている請求項１２のシステム。
【請求項２０】
前記グループ識別情報が、同一の測定装置により得た単一の被試験装置（ＤＵＴ）の複数の測定に関連づけられている請求項１２のシステム。
【請求項２１】
測定装置によるデータの感知とほぼ同時に、前記モバイル計算装置によって、前記測定データが、受信される請求項１２のシステム。
【請求項２２】
前記モバイル計算装置が、１つ以上の測定装置から受信された瞬時の測定データを示すよう更に構成された請求項1２のシステム。
【請求項２３】
そこに蓄積されたコンピュータ実行可能なインストラクションを有するコンピュータ読み取り可能な非一時的媒体であって、該媒体は、
モバイル計算装置の１つ以上のプロセッサによる実行に応答して、
モバイル計算装置によって、１つ以上の測定装置を接続することと、
モバイル計算装置によって、該１つ以上の測定装置から測定データを受信することと、
モバイル計算装置によって、前記受信した測定データを蓄積することと、
該蓄積された測定データを類似のグループ識別情報を有する他のデータに関連づけるグループ識別情報を含むメタデータによって、前記蓄積された測定データに注釈を付けること
により、測定データを捕捉し、該測定データに注釈を付けることをモバイル計算装置にさせる媒体。
【請求項２４】
グループ識別情報が、前記蓄積された測定データと該測定データが生成された機器の機器識別子とを関連づけし、更に、
前記モバイル計算装置によって提供されたリストからのユーザの機器選択を受信することにより、又は、モバイル計算装置のセンサを使用して該機器から該機器識別子を捕捉することにより、該測定データが蓄積される前に該機器識別子が決定される請求項２３のコンピュータ読み取り可能な媒体。
【請求項２５】
前記インストラクションが、前記モバイル計算装置に、
該モバイル計算装置の位置を決定し、および
機器のユーザ選択を得るための該モバイル計算装置の位置近くの機器のリストを提供するよう更に指示する請求項２４のコンピュータ読み取り可能な媒体。
【請求項２６】
前記インストラクションが、前記モバイル計算装置に、
機器のユーザ選択を得るためのモバイル計算装置によって、前もってモニタされた機器のリストを提供するよう更に指示する請求項２４のコンピュータ読み取り可能な媒体。
【請求項２７】
前記インストラクションが、前記モバイル計算装置に、
互いに所定時間内に、又は位置決めシステムにより決定した互いの所定距離内のいずれかで捕捉された蓄積された測定データを選択することによって、
前記測定データが蓄積された後で、該グループ識別情報に関連づけられる１組の蓄積された測定データを自動的に選択するよう更に指示する請求項２３のコンピュータ読み取り可能な媒体。
【請求項２８】
前記グループ識別情報が、異なる測定装置により得た単一の被試験装置（ＤＵＴ）の測定に関連づけられているか、又は、同一の測定装置により得た単一の被試験装置（ＤＵＴ）の複数の測定に関連づけられている請求項２３のコンピュータ読み取り可能な媒体。
【手続補正２】
【補正対象書類名】明細書
【補正対象項目名】発明の名称
【補正方法】変更
【補正の内容】
【発明の名称】測定データを捕捉し、測定データに注釈をつけるためのコンピュータ実現方法、及びそのためのシステム、並びに、コンピュータ読み取り可能な媒体
【手続補正３】
【補正対象書類名】明細書
【補正対象項目名】０００１
【補正方法】変更
【補正の内容】
【０００１】
本願は、測定データを捕捉し、測定データに注釈をつけるためのコンピュータ実現方法、及びそのためのシステム、並びに、コンピュータ読み取り可能な媒体に関する。